(57)【要約】【課題】スイッチで電動モータを作動させ、そのことによって、シートバック４が前倒状態から所定の起立状態に起きあがると、スイッチがオンにされたままであっても、電動モータが直ちに停止し、シートバック４が当該起立状態に保持されるようにする。【解決手段】  シートバック４が所定の起立状態になると、該シートバック４を当該起立状態に保持するように作動するロック部材と、このロック部材の作動に伴って回動するレバー４６とを備え、このレバー４６によってスイッチ４２を作動させて電動モータの駆動回路を開成する。【選択図】      図８
2011042368.tif 000002
【特許請求の範囲】
【請求項１】
シートクッションの後端部近傍を中心として回動して、所定の起立状態、及びシートクッション側に傾き又は倒れて折り重なった前倒状態にそれぞれ移行可能なシートバックを備え、荷室に隣接してその車両前方側に設置される車両用シート装置において、
上記シートクッションの後端部近傍を中心として上記シートバックを回動させる電動モータと、
上記シートバックに設けられた第１係合部材と、
上記シートクッション又は車体に設けられ、上記第１係合部材と係合して上記シートバックの姿勢を保持する第２係合部材と、
上記シートバックが上記所定の起立状態にあるときには上記第１係合部材と第２係合部材とを係合させる第１形態となり、上記シートバックが上記前倒状態にあるときには上記両係合部材同士の係合を解除する第２形態となる係合・解除機構と、
上記電動モータを作動させる駆動回路とを備え、
上記駆動回路は、
上記荷室の側壁に配置され、オン操作されることにより上記シートバックが上記前倒状態から起きていくように上記電動モータを作動させる常時オフ側に付勢された自動復帰型の操作スイッチと、
上記係合・解除機構が上記第１形態になったときに上記駆動回路による上記電動モータへの通電を遮断したオフ状態になり、該係合・解除機構が上記第２形態になったときに上記駆動回路による上記電動モータへの通電を許容するオン状態になるスイッチとを備えていることを特徴とする車両用シート装置。
【請求項２】
請求項１において、
上記シートバックを前に倒れるように付勢する付勢手段を有し、
上記シートバックは上記付勢手段の付勢によって上記前倒状態に移行するものであり、
上記シートバックが上記起立状態から上記前倒状態へ移行するのに要する時間が、上記シートバックを上記前倒状態から上記起立状態へ移行させるに要する時間よりも短いことを特徴とする車両用シート装置。
【請求項３】
請求項１又は請求項２において、
上記係合・解除機構は、
上記第１係合部材及び第２係合部材のうちの一方に接触し該一方の係合部材を他方の係合部材に係合させた作動位置と、該係合を解除させた解除位置とに移動する機構部材と、
上記機構部材を上記作動位置になるように付勢する付勢手段と、
上記機構部材に操作力伝達部材を介して繋がれて該機構部材より離れた位置に設けられ、上記第１係合部材と第２係合部材との係合が解除されるように上記機構部材を上記付勢に抗して解除位置に移動させる解除操作部材とを備え、
上記スイッチは、上記機構部材が上記作動位置に移動したときにその動きを直接受けてオフ状態となり、上記機構部材が上記解除位置に移動したときにオン状態になることを特徴とする車両用シート装置。
【請求項４】
請求項３において、
上記シートバックは、更に上記起立状態よりも後方へ傾き又は倒れた後倒状態にも移行可能に設けられ、
上記第１係合部材は、上記シートバックと共に回動するように該シートバックの回動中心と同心に設けられ、
上記機構部材は上記第２係合部材に当接し、
上記シートバックと共に上記第１係合部材が回動することにより、上記第２係合部材の上記第１係合部材に対する係合位置が選択的に変えられて、上記シートバックの後傾角度が変更されることを特徴とする車両用シート装置。
【発明の詳細な説明】
【技術分野】
【０００１】
本発明は、車両用シート装置に関する。
【背景技術】
【０００２】
自動車等の車両の室内構造に関し、前後に並ぶ複数列のシートのうちの最後列シートのシートバックによって乗員室と車室後部の荷室とを仕切ること、そして、そのシートバックを前に倒してシートクッションに折り重ね、そのシートバックの上を荷物置きスペースとすること、すなわち、荷室空間を乗員室側に拡大できるようにすることは一般に知られている（特許文献１参照）。
【０００３】
また、車両のシートに関し、シートバックのシートクッションへの折り畳みと起立状態への復帰とを共に電動モータによって行なうという提案も一般に知られている（特許文献２参照）。この提案では、シートバックの折り畳み完了及び展開（起立）完了をそれぞれリミットスイッチで検出して電動モータを停止させるようになっている。さらに、シートバックをシートクッションに折り重ねた状態でシート全体をシート背部の格納部に格納できるようにするとともに、その格納及び復帰を電動モータによって行なうこと、そのためにオフ側に自動復帰する操作スイッチをシート後方（荷室）に配置するという提案も知られている（特許文献３参照）。
【先行技術文献】
【特許文献】
【０００４】
【特許文献１】特開２００１−２３９８７０号公報
【特許文献２】特開２００５−４１４０６号公報
【特許文献３】特開２００４−２４９９６２号公報
【発明の概要】
【発明が解決しようとする課題】
【０００５】
ところで、シートバックを前倒状態から起立させる場合、上述の如く電動モータを採用すると、利用者の負担軽減になる。その場合、当該シート背部の荷室等に自動復帰型の操作スイッチを配置し、該操作スイッチを押しているときのみ電動モータが作動するようにすることが考えられる。
【０００６】
しかし、自動復帰型の操作スイッチを採用するということは、シートバックをどの位置まで起立させるかの判断が利用者に委ねられるということである。そのため、そのシートの座り心地としてはこの程度の起立角度で良いだろうと判断して、電動モータを停止させてシートバックを起立状態にしても、実際には良くなかったということになりやすい。例えば、シートバックが直立状態になり過ぎて座り心地が悪い、或いは後方に傾き過ぎて座り心地が悪く、しかもシートバック背部の荷室スペースが狭くなった、ということを生ずる。
【０００７】
これに対して、シートバックを所定の起立位置で停止させるための目印を設けておいて、その目印でシートバックの起立位置を確認しながら、操作スイッチをオフにすることも考えられる。しかし、その場合でも、操作スイッチから手を離すのが早すぎたり、或いは遅れて、シートバックを所望の起立位置に確実に停止させることができない、という問題がある。
【０００８】
また、シートバックを所定の起立位置に停止させるストッパを設け、シートバックの起立動がストッパによって停止され、電動モータに過電流が流れたことを検出して該電動モータへの通電を遮断することも考えられる。しかし、シートバックがストッパに当たって電動モータが停止するまでに、シートバックやストッパ等に大きな力が加わり、当該シート装置が壊れやすくなる。また、そのために、ストッパやシートバックの一部を補強することも考えられるが、こうした補強により、車体重量が増大してしまう。
【０００９】
そこで、本発明は、シートバックを起立させるときに、安全を確認しながらその起立操作を行なうことができるようにし、しかも適切な起立状態に位置付けることができるようにすることを課題とする。
【課題を解決するための手段】
【００１０】
本発明は、このような課題を解決するために、自動復帰型の操作スイッチと、シートバックの起立動を強制的に停止させる手段とを組み合わせた。
【００１１】
請求項１に係る発明は、シートクッションの後端部近傍を中心として回動して、所定の起立状態、及びシートクッション側に傾き又は倒れて折り重なった前倒状態にそれぞれ移行可能なシートバックを備え、荷室に隣接してその車両前方側に設置される車両用シート装置において、
上記シートクッションの後端部近傍を中心として上記シートバックを回動させる電動モータと、
上記シートバックに設けられた第１係合部材と、
上記シートクッション又は車体に設けられ、上記第１係合部材と係合して上記シートバックの姿勢を保持する第２係合部材と、
上記シートバックが上記所定の起立状態にあるときには上記第１係合部材と第２係合部材とを係合させる第１形態となり、上記シートバックが上記前倒状態にあるときには上記両係合部材同士の係合を解除する第２形態となる係合・解除機構と、
上記電動モータを作動させる駆動回路とを備え、
上記駆動回路は、
上記荷室の側壁に配置され、オン操作されることにより上記シートバックが上記前倒状態から起きていくように上記電動モータを作動させる常時オフ側に付勢された自動復帰型の操作スイッチと、
上記係合・解除機構が上記第１形態になったときに上記駆動回路による上記電動モータへの通電を遮断したオフ状態になり、該係合・解除機構が上記第２形態になったときに上記駆動回路による上記電動モータへの通電を許容するオン状態になるスイッチとを備えていることを特徴とする。
【００１２】
従って、係合・解除機構が第２形態となると、第１係合部材と第２係合部材との係合が解除されるから、シートバックの前倒が可能になる。この第２形態のときはスイッチがオン状態になって駆動回路による電動モータへの通電を許容するから、車両用シート後方の荷室側壁に配置された自動復帰型の操作スイッチの操作によって電動モータを作動させることにより、前倒状態にあるシートバックを起こしていくことができる。よって、利用者は、操作スイッチのオン操作により、労力をかけることなく、そして、安全を確認しながらシートバックを前倒状態から起こしていくことができる。すなわち、電動モータによるシートバックの起立途中で該シートバックと車体側壁との間に物体が挟まれそうになったり、或いは荷室の荷物にシートバックが当たって荷物が壊れそうになったときに、操作スイッチから手を離してオフにすることにより、シートバックを起立途中で停止させてトラブルを避けることができる。
【００１３】
そうして、シートバックが前倒状態から所定の起立状態に移行すると、係合・解除機構は第１係合部材と第２係合部材とを係合させた第１形態となり、スイッチはオフ状態になって駆動回路による電動モータへの通電を遮断する。よって、操作スイッチのオン操作を継続していても、上記通電の遮断により、電動モータからはトルクが出力されなくなる。一方、上述の如く第１係合部材と第２係合部材との係合により、シートバックは所定の起立位置に確実保持される。よって、シートバックが予定よりも直立に近い状態になっていたり、或いは後方へ倒れ過ぎていたりすることがなくなるから、座り心地が悪くなることが避けられる。また、シートバック背部の荷物収容スペースが過度に狭くなってしまうことも避けられる。さらに、電動モータのトルクによって当該車両用シートを傷めることも避けられる。
【００１４】
請求項２に係る発明は、請求項１において、
上記シートバックを前に倒れるように付勢する付勢手段を有し、
上記シートバックは上記付勢手段の付勢によって上記前倒状態に移行するものであり、
上記シートバックが上記起立状態から上記前倒状態へ移行するのに要する時間が、上記シートバックを上記前倒状態から上記起立状態へ移行させるに要する時間よりも短いことを特徴とする。
【００１５】
従って、利用者は、シートバックを付勢手段の付勢のみによって早く、しかも確実に前に倒すことができ、シートバックの前倒に労力をかけなくてもよくなる。
【００１６】
請求項３に係る発明は、請求項１又は請求項２において、上記係合・解除機構は、
上記第１係合部材及び第２係合部材のうちの一方に接触し該一方の係合部材を他方の係合部材に係合させた作動位置と、該係合を解除させた解除位置とに移動する機構部材と、
上記機構部材を上記作動位置になるように付勢する付勢手段と、
上記機構部材に操作力伝達部材を介して繋がれて該機構部材より離れた位置に設けられ、上記第１係合部材と第２係合部材との係合が解除されるように上記機構部材を上記付勢に抗して解除位置に移動させる解除操作部材とを備え、
上記スイッチは、上記機構部材が上記作動位置に移動したときにその動きを直接受けてオフ状態となり、上記機構部材が上記解除位置に移動したときにオン状態になることを特徴とする。
【００１７】
すなわち、第１係合部材と第２係合部材との係合及びその解除は、機構部材の作動位置及び解除位置への移動が直接反映されたものである。そして、この機構部材の動きを直接受けてスイッチは電動モータへの通電を遮断したオフ状態及びその通電を許容したオン状態に変化する。
【００１８】
このように、スイッチのオン・オフには、第１係合部材と第２係合部材との係合及びその解除が直接反映される。そのため、操作スイッチの操作によってシートバックが所定の起立状態になって第１係合部材と第２係合部材とが係合し、シートバックの当該起立状態が保持されたときは、同時にスイッチが確実にオフになって電動モータへの通電が遮断されることになる。よって、シートバックが所定の起立状態に保持されたにも拘わらず、電動モータが作動したままになって当該シート装置に過負荷が加わることが避けられる。或いはシートバックが所定の起立状態に保持される前に電動モータが停止してシートバックを所定の起立状態にできない、或いはシートバックを上記両係合部材で確実に保持できない、という不具合が避けられる。
【００１９】
請求項４に係る発明は、請求項３において、
上記シートバックは、更に上記起立状態よりも後方へ傾き又は倒れた後倒状態にも移行可能に設けられ、
上記第１係合部材は、上記シートバックと共に回動するように該シートバックの回動中心と同心に設けられ、
上記機構部材は上記第２係合部材に当接し、
上記シートバックと共に上記第１係合部材が回動することにより、上記第２係合部材の上記第１係合部材に対する係合位置が選択的に変えられて、上記シートバックの後傾角度が変更されることを特徴とする。
【００２０】
従って、解除操作部材の操作によって機構部材を解除位置に移動させると、第１係合部材と第２係合部材との係合が解除されるから、シートバックを前後に回動させることができる。そして、解除操作部材の操作を解除すると、機構部材が付勢手段によって作動位置に移動して上記両係合部材が係合した状態になるから、第２係合部材の第１係合部材に対する係合位置を適宜変更して、シートバックの後傾角度を変えることができる。すなわち、連動スイッチをオン・オフする機構部材は、上記両係合部材と共にシートバックのリクライニング機構を構成するものであり、本発明によれば、このリクライニング機構を利用して電動モータの通電制御を行なうことができ、シート装置の構造が簡単になる。
【発明の効果】
【００２１】
以上のように、請求項１に係る発明によれば、シートバックを回動させる電動モータと、互いに係合してシートバックの姿勢を保持する第１及び第２の両係合部材と、シートバックが起立状態にあるときには上記両係合部材同士を係合させる第１形態となり、シートバックが前倒状態にあるときには上記両係合部材同士の係合を解除する第２形態となる係合・解除機構とを備え、上記電動モータの駆動回路に、シートバックが前倒状態から起きていくように電動モータを作動させる自動復帰型の操作スイッチと、上記係合・解除機構が上記第１形態になったときに電動モータへの通電を遮断したオフ状態になり、該係合・解除機構が上記第２形態になったときに電動モータへの通電を許容するオン状態になるスイッチとを設け、上記操作スイッチをシート後方の荷室の側壁に配置したから、利用者は、操作スイッチの操作により、労力をかけることなく、そして、安全を確認しながらシートバックを前倒状態から起こしていくことができるとともに、シートバックが所定の起立位置になったときに電動モータを停止させることができ、シートの座り心地が悪くなることが避けられ、或いはシートバック背部の荷物収容スペースが過度に狭くなることが避けられ、しかも当該シート装置に電動モータのトルクによって過大な負荷が加わることが防止される。
【図面の簡単な説明】
【００２２】
【図１】本発明に係るシートを備えた車両後部の一部を示す側面図である。
【図２】後側シートのシートバックを前に倒した状態の図１と同様の図である。
【図３】上記後側シートのフレーム構造を示す斜視図である。
【図４】上記後側シートのシートバック起立用電動モータの駆動回路図である。
【図５】上記後側シートのナックル部分を示す斜視図である。
【図６】上記シートバックを起立状態に保持した状態での上記ナックルと連動スイッチとの関係を示す正面図である。
【図７】上記シートバックの保持を解除した状態の図６と同様の図である。
【図８】上記シートバックの起立状態及び前倒状態でのナックルレバーと連動スイッチとの関係を示す側面図である。
【図９】上記シートバックの起立状態及び前倒状態での、図８と同様の関係を示す図である。
【図１０】上記シートバックの起立機構部をシートバック起立状態で示す斜視図である。
【図１１】上記起立機構部をシートバック起立状態で示す側面図である。
【図１２】上記起立機構部をシートバック起立状態において操作紐が引かれたときの状態を示す側面図である。
【図１３】シートバック前倒途中の上記起立機構部を示す側面図である。
【図１４】シートバックが前倒した状態の上記起立機構部を示す側面図である。
【発明を実施するための形態】
【００２３】
以下、本発明の実施形態を図面に基づいて説明する。
【００２４】
図１は前後方向に配設された３列のシートを有する車両（自動車）の後部を示す。すなわち、同図には中間シート１と後側シート２が図示され、運転席を有する前側シートの図示は省略している。後側シート２のシートバック４を起立させた状態では、該シートバック４の背部が荷室５になっている。すなわち、起立したシートバック４によって車室が前側の乗員室と後側の荷室５とに仕切られた状態である。荷作業は車両背面のバックドア６を開けて車両後方から行なうことができる。また、中間シート１の側方（車幅方向の外側）には、サイドドアが設けられ、該サイドドアを開けて中間シート１及び後側シート２への乗降を可能としている。
【００２５】
中間シート１は、フロアに固定されたシートクッション１１の後端にシートバック１２がリクライニング可能に設けられたものである。
【００２６】
後側シート２もシートクッション３とシートバック４とを備えてなるが、中間シート１とはその構成が異なる。
【００２７】
すなわち、シートクッション３は、その前部がフロアにリンク１３によって昇降自在に支持されている。一方、シートバック４はその下端がフロアに固定のブラケット１４に枢支ピン１５によって回動自在に支持されている。さらに、シートクッション３の後端とシートバック４の下端とは枢支ピン１６によって連結されている。この枢支ピン１５，１６及びリンク１３の両端の枢支ピンはいずれも車幅方向に水平に設けられている。
【００２８】
これにより、シートバック４を前に倒すと、図２に示すように、シートクッション３はシートバック４によって前に押され、リンク１３が前に倒れてシートクッション３は低位置になり、その上にシートバック４が折り重なった前倒状態になる。シートバック４を起こすと、シートクッション３は、シートバック４に引かれ、リンク１３が立ち上がることにより、高位置になる（図１参照）。
【００２９】
そうして、後側シート２のシートバック４は、後述の保持機構で保持された所定の起立状態（例えば鉛直線よりも後方へ１５度〜２５度傾斜した状態）より、後述の前倒付勢手段によって前に倒すことができ、また、後述の電動モータ部によって前倒状態から上記所定の起立状態に起こすことができ、さらに後方へ適宜リクライニングできるようになっている。また、シートバック４の前面側と後面側とには、上記保持機構による保持の解除等を操作をするための操作部材として操作紐７，７が設けられている。さらに、荷室５の側壁には上記電動モータ部をオン操作する常時オフ側に付勢された自動復帰型の操作スイッチ８が設けられている。
【００３０】
荷室５のフロアには下方へ窪んだタイヤ収容凹部１７が形成され、該凹部１７にスペアタイヤ１８を収容できるようになっている。この収容凹部１７の前部は後側シート２の後部によって覆われ、収容凹部１７の後部はサブトランク１９によって覆われている。サブトランク１９内には例えば小物を収容することができる。後側シート２のシートバック４を倒してシートクッション３に折り重ねたとき、図２に示すように、サブトランク１９の上面とシートバック４の背面とが略面一になるようにされている。この場合、倒れたシートバック４の背面上にも荷物を載せることができ、荷室５が乗員室側に拡大した状態になる。すなわち、車室は、中間シート１のシートバック１２によって前側の乗員室と後側の荷室５とに仕切られた状態になる。
【００３１】
＜後側シートの構造＞
図３には後側シート２のフレーム構造及び車体フロアへの取付構造が示されている。当該車両は左右２つの独立した後側シート２を備えており、それぞれ、後述する本発明に係る機能を有しているため、以下では、主に、前方から見て右側シートについて詳述する。同図において、２１はシートクッション３のフレームであり、スプリング２２等が設けられている。このクッションフレーム２１の前部と、前後方向に延びフロアに固定される前後フレーム２３とがリンク１３によって連結されている。クッションフレーム２１にはクッション体（図示省略）が取り付けられる。
【００３２】
また、図３において、２５はシートバック４のフレームであり、車幅方向に延びフロアに固定される車幅フレーム２６に前後回動自在に支持されている。すなわち、車幅フレーム２６にブラケット１４（図３では図示省略）が固定され、このブラケット１４にシートバックフレーム２５の下端が枢支ピン１５（図３では図示省略）によって連結されている。シートクッションフレーム２１の後端の立ち上がった部分と、シートバックフレーム２５の上記枢支ピン１５よりも上方に位置する部位とが枢支ピン１６によって連結されている。
【００３３】
具体的な図示は省略しているが、左右の後側シート２各々のシートバック４の枢支部には、該シートバック４を前に倒すように付勢する前倒付勢手段として巻きバネが設けられている。そうして、シートバック４の両側の枢支部のうち車体中央側の枢支部には、シートバック４を所定の起立状態及び後方へ傾け又は倒した後倒状態に保持する保持機構としてのナックル３１が設けられている。なお、図３では右席側をナックルがカバー３２で覆われた状態で描かれ、ナックル自体の図示は省略している。一方、シートバック４の両側の枢支部のうち車体側壁側の枢支部近傍には、シートバック４を前に傾き又は倒れた前倒状態から所定の起立状態に起こすための減速機付き電動モータ（界磁を永久磁石で発生させるタイプで直流を入力とする直流電動機や同期電動機）３３が設けられている。
【００３４】
また、シートバック４には、操作紐７の操作力を中継してナックル３１及び電動モータ３３側の係合・解除手段の各々に分岐させて伝達する中継部材３４が設けられている。中継部材３４には、操作紐７の引きを戻す方向に付勢する付勢手段が設けられている。係合・解除手段については後に説明する。また、シートバック４のフレーム２５の背面には、該シートバック４をシートクッション３に折り重なるように前に倒したときに、平坦な荷物置き面を形成するための平坦な荷物置きプレート３５が固定されている。
【００３５】
＜電動モータの駆動回路＞
図４に示すように、左右の後側シートの電動モータ３３はバリスタ及びサーキットブレーカを内蔵するものであり、各々の駆動回路４１には上述の自動復帰型操作スイッチ８、強制遮断手段としてのナックル連動スイッチ４２及びヒューズ４３が設けられている。連動スイッチ４２は、ナックル３１がシートバック４を保持した状態であるときにオフ（当該駆動回路４１を開成した状態）になっていて、その他の状態のときは後述のナックルレバーによりオン状態に、すなわち、操作スイッチ８をオンにすると電動モータ３３に通電される状態（電動モータ３３への通電を許容する状態）になるものである。
【００３６】
＜ナックル及び連動スイッチ＞
図５に示すように、ナックル３１のカバー４５には、シートバック４の回動中心と同心に設けられた機構部材としてのナックルレバー４６と、上記連動スイッチ４２とが設けられている。ナックルレバー４６には上記中継部材３４より延びる第１ケーブル４７が連結されている。連動スイッチ４２は、ナックルレバー４６の動きを直接受けてオン・オフの切換えがなされるように、該ナックルレバー４６に近接して配置されている。
【００３７】
以下、具体的に説明すると、図６及び図７にナックル３１と連動スイッチ４２との関係が示されている。なお、図６及び図７ではナックルレバー４６を模式的に表している。ナックル３１は、シートバック４にその回動中心と同心にして固定された内歯車（第１係合部材）５１と、該内歯車５１の内側に配置された一対のロック部材（第２係合部材）５２と、ロック部材５２を駆動するカム部材５３とを備えている。このカム部材５３にナックルレバー４６が結合されており、このナックルレバー４６とカム部材５３とによって、係合・解除機構の機構部材が構成されている。
【００３８】
内歯車５１は、リング部材の内周面にその軸心（シートバック４の回動中心と同じ）を挟んで相対向するように形成された一対の内歯５４を備えている。この内歯車５１の両内歯５４の間は内歯５４の歯先面よりも高くなった（内径が小さくなるように隆起した）隆起面５５に形成されている。
【００３９】
一対のロック部材５２は、上記軸心を挟んで相対する位置に設けられ、外側を向いた面には内歯５４に係合する（噛み合う）ロック歯５６が形成されている。この両ロック部材５２は、内歯車５１の径方向に移動自在になるように車体側（又はシートクッション側。以下、「車体側」というシートクッション側であってもよいことを意味する。）に支持されていて、且つ内歯５４との係合が解除する方向に、すなわち、軸心側に移動するように付勢手段（図示省略）で付勢されている。このロック部材５２が内歯車５１の内歯５４に係合することにより、シートバック４は車体側に対して所定の起立状態又は後倒状態に保持されたロック状態となる。つまり、シートバック４は前倒付勢手段（巻きバネ）の付勢に抗して起立又は後倒状態に保持される。ロック部材５２の係合が解除されると、シートバック４は車体側に対して回動自在になり、その結果、前倒付勢手段の付勢により、前に倒れることになる。
【００４０】
カム部材５３は、一対のロック部材５２の間に配設されていて、上記軸心周りに回動自在に設けられている。このカム部材５３の周面には、上記軸心を挟んで相対する一対の係合面５７と、同じく上記軸心挟んで相対する一対の解除面５８とが周方向に相隣るように形成されている。図６に示すように、カム部材５３が回動して一対の係合面５７が両ロック部材５２の内側（軸心側）を向いた面に当接するとき（第１形態）、該両ロック部材５２は上記付勢に抗して外側へ移動して内歯５４と係合したシートバックロック状態になる。一方、一対の解除面５８は係合面５７よりも上記軸心からの距離が短い。従って、カム部材５３が回動して、図７に示すように、両解除面５８が両ロック部材５２の内側（軸心側）を向いた面に当接するとき（第２形態）、両ロック部材５２は上記付勢によって内側へ移動し内歯５４との係合を解除したシートバック解除状態になる。
【００４１】
ナックルレバー４６及びカム部材５３は、係合面５７がロック部材５２に当接しロック部材５２が内歯５４に係合してシートバック４を車体側に保持した第１形態（図６参照）になるように、その回動方向が付勢手段５９によって付勢されている。従って、ナックルレバー４６が操作紐７により第１ケーブル４７を介して引かれると、図７に示すように、カム部材５３が回動して解除面５８がロック部材５２の内側を向いた面に当接した第２形態（シートバック解除状態）になる。
【００４２】
本実施形態では、上述の操作紐７、中継部材３４、第１ケーブル４７、ナックルレバー４６、カム部材５３及び付勢手段５９によって係合・解除手段が構成されている。
【００４３】
そうして、連動スイッチ４２は、図６に示すように、ナックルレバー４６が上記第１形態（シートバックロック状態）にあるときに、ナックルレバー４６が接触してオフ状態となるように配置されている。図７に示すように、ナックルレバー４６がシートバック解除位置に移動して連動スイッチ４２から離れる（第２形態になる）と、該連動スイッチ４２はオン状態になる。
【００４４】
図８にはシートバック４が起立した状態を実線で表し、前に倒れた状態を２点鎖線で表している。上述の所定の起立状態では、連動スイッチ４２はナックルレバー４６の接触によりオフ状態になっている。ナックルレバー４６が操作紐７によって引かれると、ロック部材５２がシートバック解除状態になるとともに、ナックルレバー４６が連動スイッチ４２から離れ、該連動スイッチ４２はオン状態になる。
【００４５】
この状態で図８に２点鎖線で示すように、シートバック４が前倒付勢手段（巻きバネ）の付勢によって前に倒れていくと、同時に内歯車５１が図７に示すようにシートバック４と共に矢符Ａ方向に回動するから、ロック部材５２は内歯車５１の隆起面５５に乗り上げた状態になる。この状態は、ロック部材５２がカム部材５３を付勢手段５９の付勢に抗してシートバックロック状態に戻ることを阻止した状態である。従って、操作紐７による牽引が解除されても、連動スイッチ４２はオン状態を保つことになる。
【００４６】
この実施形態では、シートバック４を所定の起立状態にしたときに、ロック部材５２のロック歯５６が内歯車５１の内歯５４に対し、隆起面５５に隣接する位置において相対して噛み合うように、内歯車５１とロック部材５２との位置関係を設定している。さらに、上記シートバック解除状態において、該シートバック４が前に倒れシートクッション３に折り重なった完全前倒状態になっても、ロック部材５２のロック歯５６が隆起面５５に相対し、内歯５４には噛み合わないように、隆起面５５の範囲を設定している。従って、図８に２点鎖線で示すように、シートバック４が完全前倒状態になっても、連動スイッチ４２はオン状態（電動モータ３３への通電を許容する状態）を保つ。
【００４７】
よって、操作スイッチ８をオンにすると、電動モータ３３が起動してシートバック４が起きあがっていく。そして、シートバック４が所定の起立状態になると、ロック部材５２のロック歯５６が内歯車５１の内歯５４に噛み合って、シートバック４がその所定の起立状態に保持されると同時に、連動スイッチ４２がオフ状態になり、電動モータ３３は通電が途絶えて停止する、つまり、トルクを発生しなくなる。
【００４８】
また、図９に１点鎖線で示すように、シートバック４が所定の起立状態にあるとき、操作紐７が引かれてシートバック解除状態にされると、シートバック４を上述の前倒付勢手段の付勢に抗して後へ押すことにより、実線で示すように後方へ倒すことができる。そして、操作紐７の引きを解除すると、カム部材５３が付勢手段５９の付勢により回転して、ロック部材５２が内歯車５１の内歯５４に噛み合うことにより、シートバック４は後方へ適宜の角度倒れた状態に保持される。内歯車５１の内歯５４は、シートバック４を所定の起立状態から後方へ略水平になるように倒れた状態までの、適宜の角度で保持できるように、内歯車周方向の所定範囲に設けられている。また、シートバック４を後方へ適宜の角度倒してロック部材５２により保持した状態は、ナックルレバー４６が付勢手段５９の付勢によって回転し連動スイッチ４２に接触した状態である（図９の実線状態）。従って、連動スイッチ４２はオフ状態にあるから、操作スイッチ８がオンにされても、電動モータ３３は起動されない。
【００４９】
＜電動モータによるシートバック起立機構＞
図１０に示すように、後側シート２のシートバックフレーム２５にはモータ支持部材６１が固定され、該モータ支持部材６１に電動モータ３３が支持されている。また、この支持部材６１には、電動モータ３３の出力軸によって回転される駆動ギヤ６２が軸心を車幅方向にして支持されている。図１１に示すように、駆動ギヤ６２は、電動モータ３３の出力軸に結合されたウォーム６３を介して回転駆動されるものである。尚、電動モータ３３とウォーム６３とを合わせて電動モータ部と称すが、本発明では、駆動ギヤ６２がウォームを介さずに電動モータ３３のみで駆動される場合を含む。一方、車体フロアに固定された支持ブラケット６４には、被動ギヤ６５が後側シート２のシートバック４の回動中心と同心にして回転自在に支持されている。この被動ギヤ６５に駆動ギヤ６２が噛み合っている。
【００５０】
被動ギヤ６５には、該被動ギヤ６５と共に回転する係合ギヤ６６が一体に設けられている。一方、支持ブラケット６４には係合ギヤ６６に係合可能なフック部材６７が車幅方向の支軸６８により回動自在に支持されている。但し、このフック部材６７は、付勢手段（バネ）６９によって、係合ギヤ６６に係合する方向へ回動するように付勢されている。また、モータ支持部材６１には、解除レバー７１が車幅方向の支軸７２によって回動自在に支持されている。解除レバー７１は、フック部材６７の係合ギヤ６６に対する係合を、上記付勢手段６９の付勢に抗して解除するものである。この場合、係合ギヤ６６とフック部材６７とが、被動ギヤ６５がシートバック４と共に回転することを阻止するクラッチを構成している。
【００５１】
係合ギヤ６６には、フック部材６７の先端フック７３が係合する複数の係合歯７４が周方向に所定のピッチで形成されている。係合歯７４の歯面（係合面）は、被動ギヤ６５の軸心と平行であってシートバック前倒時の回転方向前方を向き、且つ被動ギヤ６５の略径方向に広がっている。また、この係合歯７４の配設ピッチは、シートバック４が上記所定の起立状態から完全前倒状態になるまでに回転する前倒角度（１００〜１１５度）よりも若干大きい１２０度に設定している。従って、本例では係合歯７４は３つ設けられている。なお、係合歯７４は１つであっても、２つであってもよい。
【００５２】
従って、フック部材６７のフック７３が係合ギヤ６６の係合歯７４に係合すると、被動ギヤ６５はシートバック前倒方向へは回転できなくなる。よって、シートバック４が前倒状態にあるとき、フック部材６７を上記係合状態にして電動モータ３３を起動し、駆動ギヤ６２をシートバック起立方向に回転させると、フック部材６７によって回転を阻止された被動ギヤ６５によって駆動ギヤ６２の回転反力が受けられる。これにより、駆動ギヤ６２が回転しながら被動ギヤ６５の回りをシートバック回転方向に移動していくことで、つまり、駆動ギヤ６２と被動ギヤ６５との噛み合い位置が変わっていくことで、シートバック４は起きあがっていく。すなわち、電動モータ３３のトルクが駆動ギヤ６２及び被動ギヤ６５を介して車体側に伝わることで、シートバックが起きあがっていく。
【００５３】
本実施形態では、電動モータ３３は、シートバック４を完全前倒状態から上記所定の起立状態へ移行させるに要する時間が７秒以下になるように（好ましくは３〜４秒になるように）設定されている。また、上記前倒付勢手段は、シートバック４を上記所定の起立状態から完全前倒状態へ移行させるに要する時間が、シートバック４を完全前倒状態から上記所定の起立状態へ移行させるに要する時間よりも短くなるように設定されている。これにより、安全性を確保しつつ、完全前倒状態と起立状態との間での移行時間を短くして利便性を高めている。
【００５４】
＜伝達解除手段＞
フック部材６７には、解除レバー７１からの解除力を受ける受け部としてピン７６が設けられている。一方、解除レバー７１には、フック部材６７のピン７６に対して係合ギヤ６６が存する側から当接するピン当て部７７が設けられている。解除レバー７１は、付勢手段（バネ）７８によってピン当て部７７がピン７６から離れる方向（係合ギヤ６６側）に回動するように付勢されている。そして、この解除レバー７１に、先に述べた中継部材３４より延び操作紐７に連結された第２ケーブル７９が結合されている。すなわち、操作紐７の引き力が第２ケーブル７９を介して解除レバー７１に伝わり、該解除レバー７１が付勢手段７８の付勢に抗してフック部材６７を回動させる、すなわち、係合ギヤ６６に対する係合が解除する方向に回動させるものである。この場合、操作紐７、中継部材３４、第２ケーブル７９、解除レバー７１及び付勢手段７８が、クラッチによる被動ギヤ６５の回転阻止を解除してシートバック前倒時に電動モータ３３が抵抗にならないようにする伝達解除手段を構成している。
【００５５】
解除レバー７１がフック部材６７を係合ギヤ６６から離れるように回動させた状態において、シートバック４が所定の起立状態から前倒を開始すると、解除レバー７１はシートバック４の回動に伴ってフック部材６７から遠ざかる方向に移動する。従って、解除レバー７１のピン当て部７７がフック部材６７のピン７６から外れ、フック部材６７は係合ギヤ６６に係合する方向に復帰することになる。
【００５６】
また、係合ギヤ６６の周方向に相隣る係合歯７４間にはカム面８１が形成されている。このカム面８１は、シートバック４の前倒中に、係合歯７４との係合が解除されたフック部材６７のフック７３の先端部が上記付勢手段６９の付勢によって当接するものである。このカム面８１は、フック７３を介して上記付勢手段６９の付勢力を受け、係合ギヤ６６が被動ギヤ６５と共にシートバック前倒方向に回転するように促すものである。
【００５７】
そのために、カム面８１は、各係合歯７４の歯面先端（軸心から最も離れた部位）から、シートバック前倒時の回転方向後側に隣る係合歯７４の歯面基端（軸心に最も近い部位）へ向かって、半径が漸次短くなるように変化している（傾斜している。）。そして、フック部材６７は、上記付勢手段６９の付勢力を上記カム面８１に対して、上記回転方向前方側において鋭角をなす方向から与えるように設けられている。
【００５８】
従って、図１１に示すようにシートバック４が所定の起立状態にあるときは、フック部材６７が係合ギヤ６６の係合歯７４に係合している。操作紐７を引くと、図１２に示すように、解除レバー７１が解除方向に回動し、それに伴って、フック部材６７が解除方向に回動して係合ギヤ６６の係合歯７４から外れる。これにより、被動ギヤ６５はフック部材６７による車体側への拘束が解除されて、前倒付勢手段としての巻きバネによる付勢を受けるシートバック４と共にシートバック前倒方向に回転することができるようになる。
【００５９】
よって、シートバック４が前に倒れるとき、被動ギヤ６５がシートバック４と共に前倒方向に回動するようになる。このことは、駆動ギヤ６２と被動ギヤ６５との噛み合い位置が変化しないこと、つまり、駆動ギヤ６２を介して電動モータ３３の出力軸をシートバック起立時とは逆方向に回転させる必要がないことを意味する。このため、電動モータ３３が外力によって回転されることで発生する逆トルクや、駆動ギヤ６２と被動ギヤ６５との噛合い、駆動ギヤ６２とウォーム６３との噛合いなど減速機類の回転抵抗がシートバック前倒に抵抗になることが防止される。
【００６０】
また、シートバック４の前倒開始後は、解除レバー７１がシートバック４の回動に伴ってフック部材６７から遠ざかる方向に移動する。これにより、図１３に示すように、解除レバー７１のピン当て部７７がフック部材６７のピン７６から外れ、フック部材６７はそのフック７３が付勢手段６９の付勢によって係合ギヤ６６のカム面８１に当接するようになる。その結果、被動ギヤ６５が、シートバック前倒方向に回転するように付勢手段６９によって付勢される。このため、被動ギヤ６５がシートバック４と共にシートバック前倒方向に確実に回動するようになる。
【００６１】
図１４に示すように、シートバック４が完全前倒状態になると、フック部材６７は係合ギヤ６６の当該カム面８１の隣の若しくはその次の係合歯７４に係合可能な状態となる。従って、電動モータ３３を起動すると、駆動ギヤ６２が被動ギヤ６５を転動することになり、シートバック４を起立させていくことができる。尚、係合歯７４の配設ピッチを上述のように１２０度に設定したことにより、シートバック４の前倒中に電動モータ３３が全く回転されない場合には、シートバック４が完全前倒状態になったたときに、フック部材６７の先端が隣の係合歯７４の直前に位置することになる。よって、電動モータ３３の起動時点から、該起動によってフック部材６７が隣の係合歯７４に係合してシートバック４が起立動を開始する時点までの遅れ時間が短くなり、シートバック４を速やかに起立させる上で有利になる。
【００６２】
＜後側シートの操作＞
以上のような後側シート２を操作するときの各部の働きを説明する。
【００６３】
−シートバックの前倒−
シートバック４が所定の起立状態にあるときは、ナックル３１では、図６に示すように、ナックルレバー４６が付勢手段５９の付勢によって下方へ回動した状態にある。そのため、カム部材５３の係合面５７がロック部材５２に当接し、該ロック部材５２が内歯車５１の内歯５４に係合している。これにより、シートバック４は当該起立状態に保持されている。また、ナックルレバー４６が連動スイッチ４２に接触し（図９の実線状態）、連動スイッチ４２はオフ状態にある。よって、操作スイッチ８がオンにされても、電動モータ３３は起動されない。一方、電動モータ３３による起立機構部では、図１１に示すように、フック部材６７は係合ギヤ６６の係合歯７４に係合している。
【００６４】
かかる起立状態において、操作紐７を引くと、ナックル３１ではナックルレバー４６が第１ケーブル４７に引かれてカム部材５３と共に上方へ回動し、それにより、ロック部材５２によるシートバック４の保持が解除される（図７参照）。つまり、シートバック４は前倒付勢手段の付勢によって前に倒れることができるようになる。一方、起立機構部では解除レバー７１が第２ケーブル７９に引かれ、それにより、フック部材６７のフック７３が係合ギヤ６６の係合歯７４から外れ、被動ギヤ６５は車体側に対して回転自在になる（図１２参照）。
【００６５】
よって、シートバック４が前倒付勢手段の付勢によって前に倒れるとき、被動ギヤ６５がシートバック４と共にシートバック前倒方向に回転するようになる。従って、電動モータ３３の駆動ギヤ６２は実質的に回転される必要がなく、電動モータ３３がシートバック４の前倒の抵抗になることが避けられる。また、本実施形態のように電動モータ３３の出力軸にウォーム６３を結合すると、駆動ギヤ６２の逆回転によってウォーム６３、つまりは出力軸を回転させることは実質的に不可能になる。このため、シートバック４の前倒に駆動ギヤ６２の逆回転を要するとするならば、電動モータ３３がシートバック前倒の大きな抵抗になる。しかし、上述の如く、駆動ギヤ６２を逆回転させる必要がないから、電動モータ３３はシートバック前倒の抵抗になることが避けられる。よって、シートバック４の前倒に際し、大きな力で力添えしなくても、前倒付勢手段の付勢のみによって早く、しかも確実にシートバック４を前に倒すことができ、乗員はシートバック４の前倒に労力をかけなくてもよくなる。
【００６６】
シートバック４が上記所定の起立状態からの前倒を開始すると、図１３に示すように、解除レバー７１がフック部材６７から離れることにより、該フック部材６７のフック７３が付勢手段６９の付勢によって係合ギヤ６６のカム面８１に押し当てられるようになる。これにより、係合ギヤ６６に対してシートバック前倒方向に回転する力が付勢手段６９によって与えられ、被動ギヤ６５のシートバック前倒方向の回転が促される。よって、駆動ギヤ６２に逆転方向の回転力が発生すること、すなわち、電動モータ３３がシートバック前倒の抵抗になることが避けられる。シートバック４がシートクッション３に折り重なった完全前倒状態になると、図１４に示すように、フック部材６７は係合ギヤ６６の当該カム面８１の隣の係合歯７４に係合した状態になる。
【００６７】
なお、解除レバー７１がフック部材６７から外れる前に操作紐７の引きを解除したときでも、フック部材６７が係合ギヤ６６の係合面７４から一旦外れ後は、シートバック４の前倒により、フック部材６７はカム面８１に当接するようになる。
【００６８】
一方、ナックル３１側では、シートバック４の前倒開始により、図７に示すように、内歯車５１がシートバック４と共に回転するから、ロック部材５２が内歯車５１の隆起面５５に乗り上がった状態になる。ロック部材５２が隆起面５５に乗った状態のまま、シートバック４は上記完全前倒状態になる。従って、シートバック４の前倒途中で操作紐７の引きを解除しても、シートバック４は前倒付勢手段による前倒を継続することになる。また、ロック部材５２の隆起面５５への乗り上げにより、ナックルレバー４６が連動スイッチ４２から離れるから、連動スイッチ４２はオン状態（操作スイッチ８がオンされると電動モータ３３への通電を許容する状態）になり、操作紐７の引きを解除しても、当該オン状態が保たれる。
【００６９】
なお、操作紐７の引きを解除したとき、ロック部材５２のロック歯５６が内歯車５１の隆起面５５に乗っているから、ナックルレバー４６は完全には戻らず、そのため、第１ケーブル４７にはたるみができることになる。
【００７０】
シートバック４の前倒により、シートクッション３がシートバック４によって前方に押され、図２に示すように、リンク１３が前に倒れてシートクッション３は下降し、その上にシートバック４が折り重なった状態になる。これにより、荷室５が乗員室側に拡大し、シートバック４の背面上にも荷物を置くことができるようになる。
【００７１】
−シートバックの起立−
シートバック４がシートクッション３の上に折り重なった完全前倒状態においては、上述の如く連動スイッチ４２がオン状態になっているから、荷室５の操作スイッチ８を押すと、バッテリからの通電によって電動モータ３３が起動する（図４参照）。一方、図１４に示すように、完全前倒状態では、フック部材６７は係合ギヤ６６の係合歯７４に係合し、被動ギヤ６５はシートバック前倒方向の回転が阻止された状態にある。
【００７２】
従って、電動モータ３３の起動により、駆動ギヤ６２が回転すると、その回転反力が被動ギヤ６５で受けられ、駆動ギヤ６２は被動ギヤ６５の歯部を転動していく。すなわち、シートバック４が起きあがっていく。このシートバック４の起立中は、図７に示すように、ナックル３１のロック部材５２は内歯車５１の隆起面５５に乗った状態にあるから、連動スイッチ４２はオン状態を保つ。従って、操作スイッチ８を押してオンにしている限り、電動モータ３３は作動状態を保つ。
【００７３】
シートバック４が図１１に示す所定の起立状態になると、図６に示すように、内歯車５１の内歯５４がロック部材５２に対向するようになる。これにより、ロック部材５２が内歯５４に噛み合って、シートバック４は当該起立状態に保持される。同時に、ナックルレバー４６が付勢手段５９の付勢によって下方へ回動して連動スイッチ４２に接触し、該連動スイッチ４２がオフ状態になる。このため、操作スイッチ８が押された状態のままであっても、電動モータ３３への通電が連動スイッチ４２によって遮断され、該電動モータ３３はトルクを発生しない状態になる。
【００７４】
このように、操作スイッチ８を押し続けることにより、シートバック４が所定の起立状態まで起こすことができる。そして、シートバック４が所定の起立状態になると、操作スイッチ８を押し続けていても、電動モータ３３の作動が停止し、シートバック４は当該起立状態に確実に保持される。よって、乗員がシートバック４を前倒状態から起こすにあたり、シートバック４の起立状態を確認しながら操作スイッチ８を操作する必要がなくなり、後側シート３から離れた荷室５での操作スイッチ８の操作であっても、シートバック４を確実に所定の起立状態にすることができる。すなわち、シートバック４が予定よりも直立に近い状態になっていたり、或いは後方へ倒れ過ぎていたりすることがなくなり、座り心地が悪くなることが避けられ、また、シートバック背部の荷物収容スペースが過度に狭くなってしまうことも避けられる。
【００７５】
また、電動モータ３３がトルクを発生しなくなるから、シートバック４に、或いはナックル３１等に過負荷が作用することが避けられ、後側シート２の耐久性向上に有利になる。
【００７６】
また、操作スイッチ８は自動復帰型スイッチであるから、シートバック４の起立途中で操作スイッチ８から手を離すと、電動モータ３３への通電が途絶えてシートバック４は起立を停止する。従って、電動モータ３３によるシートバック４の起立途中で該シートバック４と車体側壁との間に物体が挟まれそうになったり、或いは荷室５の荷物にシートバック４が当たって荷物が壊れそうになったときに、操作スイッチ８から手を離すことにより、シートバック４を起立途中で停止させてトラブルを避けることができる。すなわち、荷室５において、安全を確認しながらシートバック４を前倒状態から起こしていくことができる。
【００７７】
シートバック４の起立途中で電動モータ３３を停止させたとき、フック部材６７が係合ギヤ６６の係合歯７４に係合し、被動ギヤ６５はシートバック前倒方向の回転が阻止された状態にある。従って、シートバック４は前倒付勢手段の付勢力を受けているものの、電動モータ３３が抵抗になって直ちには前に倒れない。また、シートバック４の起立途中で電動モータ３３を停止させた後、操作スイッチ８を再度オンにすると、シートバック４を所定の起立状態に起こし、電動モータ３３を停止させた状態で該起立状態に保持することができる。
【００７８】
また、操作紐７を引いてシートバック４を起立状態から前に倒している途中で操作スイッチ８をオンにした場合は、シートバック４は所定の起立状態に戻る。シートバック４の前倒中は先に述べたように連動スイッチ４２はオン状態にあり、操作スイッチ８をオンにすると、電動モータ３３に通電されるからである。但し、図１３に示すように、前倒中はフック部材６７が係合ギヤ６６の係合歯７４から外れてカム面８１に当たっているから、電動モータ３３によって駆動ギヤ６２が回転してもシートバック４は直ちには起立方向に回動しない。駆動ギヤ６２の回転により、被動ギヤ６５が係合ギヤ６６と共にシートバック前倒方向に回転し、係合ギヤ６６の係合歯７４がフック部材６７に係合して該被動ギヤ６５のシートバック前倒方向の回転が阻止された時点から、シートバック４が起きあがっていくことになる。
【００７９】
−シートバックの後倒−
シートバック４が所定の起立状態にあるときは、上述の如く連動スイッチ４２がオフ状態にある。この状態から、シートバック４を押圧して後傾させるために、操作紐７を引いてナックル３１によるシートバック４の保持を解除している最中に、誤って操作スイッチ８がオンにされると、操作紐７の引きによって連動スイッチ４２はオンになっているから、電動モータ３３は通電されて回転する。しかし、操作紐７が引かれているということは、フック部材６７と係合ギヤ６６との係合が解除されているということであるから、電動モータ３３が作動してもシートバックにはトルクが伝わらない。すなわち、シートバック４は電動モータ３３によっては後に倒れることがなく、安全性が高くなる。
【００８０】
シートバック４を後に倒すには、操作紐７を引き、シートバック４が前倒付勢手段の付勢によって前に倒れようとする力に抗して、シートバック４を後方へ押すことになる。例えば乗員が着座状態でその背中によってシートバック４を後に押せばよい。そして、シートバック４が適宜の後倒角度になったときに、操作紐７の引きを解除すると、ナックル３１のロック部材５２が内歯車５１の内歯５４に係合し、シートバック４は当該後倒角度で保持される。
【００８１】
操作紐７を引いた状態では、図１２に示すように、フック部材６７は係合ギヤ６６から離れているから、被動ギヤ６５はフック部材６７による抵抗を受けることなく、シートバック後倒方向へ回転可能である。よって、被動ギヤ６５は駆動ギヤ６２との同じ噛合い位置を保ったまま、シートバック４と共に後方へ回転し、電動モータ３３がシートバックの後倒の抵抗になることはない。
【００８２】
また、解除レバー７１は、シートバック４が起立状態にある状態で、ピン７６に当接する姿勢になるように、第２ケーブル７９によりその姿勢が規制されていて、電動モータ３３のトルク伝達抑制手段を構成している。すなわち、シートバック４の後倒により、該シートバック４の後方側への傾斜が大きくなるほど、解除レバー７１も全体的に後方へ傾斜するように移動し、これに伴って、フック部材６７が後方へ傾いて該フック部材６７と係合ギヤ６６の係合歯７４との係合が解除される。従って、電動モータ３３が駆動されても、係合ギヤ６６は被動ギヤ６５と共に空転（遊転）することになり、シートバック４の後倒が防止される。
【００８３】
このような機能により、例えば、乗員のシート着座時において、不測にも操作スイッチ８が操作された状態で、乗員がシートバック４を後倒させるために操作紐７を引いた場合、第２ケーブル等が異常劣化するなどしてフック部材６７と係合ギヤ６６との係合が解除されなかったとしても、シートバック４の後倒度合が所定度以上になれば（側面視で、シートバック４と水平線とのなす角度が所定角度以下になれば）、シートバック４は後倒しなくなる。或いは、乗員が操作紐７を引いた直後に、上述のような要因で異常な後倒が開始されても、その後、シートバック４の後倒が進んで後倒度合が所定度以上になれば、シートバック４は後倒しなくなる。これにより、荷室の荷物の破損や、シート着座乗員に与える違和感を緩和することができる。尚、上記所定角度は、解除レバーの形状や配置によって変更可能であり、シートバック４が起立状態から後方へ少し傾いただけで、それ以上の後倒を規制すること、すなわち、電動モータ３３による後倒を実質的に規制することも可能である。
【００８４】
また、シートバック４が後倒状態にあるとき、操作紐７を引いてナックル３１によるシートバック４の保持を解除すると、シートバック４は前倒付勢手段の付勢により、後倒状態から起きあがろうとする。この場合も解除レバー７１の回動によってフック部材６７が係合ギヤ６６から外れるから、電動モータ３３による抵抗を受けることなく、シートバック４を起こすことができる。そうして、シートバック４が所望の角度まで起きたときに、操作紐７の引きを解除すると、ナックル３１のロック部材５２が内歯車５１の内歯５４に係合し、シートバック４は当該角度で保持される。また、操作紐７の引いた状態を継続すると、ナックル３１は解除状態のままであるから、シートバック４は上記後倒状態からの前倒を継続する。
【００８５】
尚、上述の後側シート２が設置されない車両では、上述の中間シート１に相当するシートに本実施形態の構造を適用するようにしてもよい。
【符号の説明】
【００８６】
１    中間シート
２    後側シート
３    シートクッション
４    シートバック
５    荷室
７    操作紐（操作部材）
８    操作スイッチ
３１    ナックル（保持機構）
３３    電動モータ
４１    駆動回路
４２    連動スイッチ（強制遮断手段）
４６    ナックルレバー（機構部材）
４７    第１ケーブル（操作力伝達部材）
５１    内歯車（第１係合部材）
５２    ロック部材（第２係合部材）
５３    カム部材
５４    内歯
５９    ナックルレバーの付勢手段
６２    駆動ギヤ
６５    被動ギヤ
６６    係合ギヤ（クラッチ）
６７    フック部材（クラッチ）
６９    フック部材の付勢手段
７１    解除レバー（伝達解除手段）
【図１】
2011042368.tif 000003
【図２】
2011042368.tif 000004
【図３】
2011042368.tif 000005
【図４】
2011042368.tif 000006
【図５】
2011042368.tif 000007
【図６】
2011042368.tif 000008
【図７】
2011042368.tif 000009
【図８】
2011042368.tif 000010
【図９】
2011042368.tif 000011
【図１０】
2011042368.tif 000012
【図１１】
2011042368.tif 000013
【図１２】
2011042368.tif 000014
【図１３】
2011042368.tif 000015
【図１４】
2011042368.tif 000016